(57)【要約】【課題】簡単な構成により、美観を損なうことなく、自立型の薄型テレビ、自立型の薄型ディスプレイの転倒を防止可能な機構を備えたディスプレイ台を提案すること。【解決手段】自立型の薄型テレビ１のテレビ台１０は、その天板１８の下側に、後方に開口している水平ポケット３０が形成されている。薄型テレビ１の支持板４を後方から水平ポケット３０に挿入して、水平板の上に載せる。支持板４は上下から天板１８および水平板２３によって挟まれているので、薄型テレビ１が前後に僅かに傾くと、支持板４が天板あるいは水平板２３に当たり、それ以上、薄型テレビ１が傾くことがない。よって、薄型テレビ１の転倒が防止される。【選択図】図１
2009089199.tif 000002
【特許請求の範囲】
【請求項１】
ディスプレイ本体と、このディスプレイ本体の下端部からほぼ垂直に下方に延びている支持脚と、この支持脚の下端に取り付けた水平な支持板とを備えている自立型のディスプレイを載せるディスプレイ台であって、
前記支持板を上方および後方から差し込み可能な水平ポケットを有し、
この水平ポケットに差し込んだ前記支持板の上下の揺れが、当該水平ポケットの上面および下面によって拘束されることを特徴とするディスプレイ台。
【請求項２】
請求項１に記載のディスプレイ台において、
水平底板と、
この水平底板の左右の端から垂直に延びている左側支柱および右側支柱と、
前記水平底板の後側の縁端から左右に一定の間隔を開けて垂直に延びている左右の後側支柱と、
これら左右の後側支柱の上端部に架け渡されている後側水平枠と、
前記左側支柱および前記右側支柱の上端部に水平に架け渡されている天板と、
この天板の裏面に取り付けられ、左右に一定の間隔で前後方向に平行に延び、当該天板の後端縁から後方に突出している後端が前記左右の後側支柱のそれぞれに取り付けられている左側水平枠および右側水平枠と、
前記天板の下側において一定の間隔を開けて水平に配置され、前記左側水平枠および前記右側水平枠の間に架け渡され、前記後側水平枠まで延びている水平板と、
前記天板の前端縁の裏面側に取り付けられ、前記左側水平枠、前記右側水平枠および前記水平板の前端部分を覆い隠している前枠と、
前記天板、前記左側支柱、前記右側支柱、前記水平板および前記前枠によって区画され、前記天板の後端縁から後方に開口している前記水平ポケットとを有し、
前記ディスプレイの前記支持板を、前記天板の後端縁の後方から前記水平ポケットに挿入して、前記水平板上に前記支持板を載せることが可能となっていることを特徴とするディスプレイ台。
【請求項３】
請求項２に記載のディスプレイ台において、
前記水平板における前記天板の後端縁から後方に延びている部分には、前記ディスプレイの前記支持板を当該水平板に固定するための締結金具を通すための垂直貫通穴が形成されていることを特徴とするディスプレイ台。
【請求項４】
請求項２に記載のディスプレイ台において、
前記左右の後側支柱の上端面を、ディスプレイ台が設置される室内の壁面などの垂直面に連結固定するための固定金具を有していることを特徴とするディスプレイ台。
【請求項５】
請求項２に記載のディスプレイ台において、
前記左右の後側支柱は、これらの後側の側面の下端部分を切り欠くことにより形成した配線用切り欠き部を備えていることを特徴とするディスプレイ台。
【請求項６】
請求項５に記載のディスプレイ台において、
前記水平底板は、前記左側支柱、前記右側支柱、前記左右の後側支柱の下端面よりも上側に配置されており、
当該水平底板の裏面には、後方に開口している配線用スペースが形成されていることを特徴とするディスプレイ台。
【請求項７】
請求項６に記載のディスプレイ台において、
前記左右の後側支柱の間には、前記水平底板の後端縁から前記後側水平枠まで垂直に延びている少なくとも一枚の配線目隠し板が配置されていることを特徴とするディスプレイ台。
【請求項８】
請求項２に記載のディスプレイ台において、
前記左右の後側支柱のそれぞれに、着脱可能な状態で取り付けた左右の垂直脚板と、
これら垂直脚板に架け渡した水平棚板とを有していることを特徴とするディスプレイ台。
【発明の詳細な説明】
【技術分野】
【０００１】
本発明は、大型の液晶ディスプレイ、プラズマディスプレイなどの薄型ディスプレイ、または、このような薄型ディスプレイを備えた薄型テレビを載せるためのディスプレイ台に関するものである。更に詳しくは、薄型ディスプレイの転倒を簡単な構造により防止可能なディスプレイ台に関するものである。
【背景技術】
【０００２】
近年においては、大型の液晶ディスプレイ、プラズマディスプレイなどを備えた薄型テレビが普及している。薄型テレビは、一般に、大型の薄型ディスプレイ本体と、この下端中央部分から下方に延びている支持脚と、支持脚の下端に取り付けた水平な支持板とを備えた自立型構造となっている。この構造の薄型テレビを載せるために市販されているテレビ台は、ブラウン管テレビ用のテレビ台と同様に、複数段の棚あるいは収納部を備え、その天板の上に薄型テレビを載せるようになっている。
【０００３】
ここで、自立型の薄型テレビの場合には重心位置が高く、転倒しやすいという問題点がある。薄型テレビの転倒防止具としては下記の特許文献１に開示のものがある。この特許文献１では、薄型テレビの背面部と、これに対峙している壁面との間にワイヤを架け渡して、薄型テレビの転倒を防止している。
【特許文献１】実用新案登録第３１２０４２８号公報
【発明の開示】
【発明が解決しようとする課題】
【０００４】
しかしながら、ワイヤで薄型テレビを壁に連結する転倒防止機構では、壁側に薄型テレビが転倒すると壁面に衝突して薄型テレビあるいは壁が損傷するという弊害がある。また、薄型テレビを任意の位置に移動できないという制約がある。さらには、ワイヤを取り付けるために壁面に傷が付くなどの弊害がある。これに加えて、ワイヤ、連結金具が露出しているので、壁面、薄型テレビの美観を損なうという弊害がある。
【０００５】
本発明の課題は、このような点に鑑みて、簡単な構成により、美観を損なうことなく、自立型の薄型テレビ、自立型の薄型ディスプレイの転倒を防止可能な機構を備えたディスプレイ台を提案することにある。
【課題を解決するための手段】
【０００６】
上記の課題を解決するために、本発明は、ディスプレイ本体と、ディスプレイ本体の下端部からほぼ垂直に下方に延びている支持脚と、この支持脚の下端に取り付けた水平な支持板とを備えている自立型のディスプレイを載せるディスプレイ台であって、前記支持板を上方および後方から差し込み可能な水平ポケットを有し、この水平ポケットに差し込んだ前記支持板の上下の揺れが、当該水平ポケットの上面および下面によって拘束されることを特徴としている。
【０００７】
また、本発明による水平ポケットを備えたディスプレイ台は、
水平底板と、
この水平底板の左右の端から垂直に延びている左側支柱および右側支柱と、
前記水平底板の後側の縁端から左右に一定の間隔を開けて垂直に延びている左右の後側支柱と、
これら左右の後側支柱の上端部に架け渡されている後側水平枠と、
前記左側支柱および前記右側支柱の上端部に水平に架け渡されている天板と、
この天板の裏面に取り付けられ、左右に一定の間隔を開けて前後方向に平行に延び、当該天板の後端縁から後方に所定長さだけ突出しており、後端が前記左右の後側支柱のそれぞれに取り付けられている左側水平枠および右側水平枠と、
前記天板の下側に一定の間隔を開けて水平に配置され、前記左側水平枠および前記右側水平枠の間に架け渡され、前記後側水平枠まで延びている水平板と、
前記天板の裏面において当該天板の前端縁に沿って、少なくとも前記左側水平枠および前記右側水平枠の間に取り付けた前枠と、
前記天板、前記左側支柱、前記右側支柱、前記水平板および前記前枠によって区画され、前記天板の後端縁から後方に開口している前記水平ポケットとを有し、
前記ディスプレイの前記支持板を、前記天板の後端縁の後方から前記水平ポケットに挿入して、前記水平板上に前記支持板を載せることが可能となっていることを特徴としている。
【０００８】
本発明のディスプレイ台においては、ディスプレイの支持板を後方から水平ポケットに挿入すると、当該支持板が水平ポケットの底面に載った状態でディスプレイを自立させることができる。この状態では、ディスプレイの支持板が水平ポケットの上面および底面の間に挟まれた状態となる。ディスプレイが前後に傾いた場合には、支持板が上面あるいは底面に当たり、それ以上ディスプレイが傾くことがない。よって、ディスプレイの転倒が防止される。水平ポケット、および、そこに挿入したディスプレイの支持板は、水平ポケット内に隠れて前方からは見えないので、外観品位も優れている。
【０００９】
ここで、薄型テレビなどにおいては、その支持板における支持脚の後ろ側の部分に、当該支持板を固定するためのねじ穴が形成されている場合がある。この場合には、ディスプレイ台における前記水平板にける前記天板の後端縁から後方に延びている部分に、前記ディスプレイの前記支持板を当該水平板に固定するためのボルトなどの締結金具を通すための垂直貫通穴を形成しておけばよい。
【００１０】
また、ディスプレイ台における前記左右の後側支柱の上端面を、ディスプレイ台が設置される室内の壁面などの垂直面に、Ｌ型金具などの固定金具によって連結すれば、ディスプレイ台自体の転倒を防止できる。
【００１１】
次に、ディスプレイ台における前記左右の後側支柱に、これらの後側の側面の下端部分を切り欠くことにより配線用切り欠き部を形成しておくことが望ましい。
【００１２】
また、前記水平底板を、前記左側支柱、前記右側支柱、前記左右の後側支柱の下端面よりも上側に配置し、当該水平底板の裏面に、後方に開口している配線用スペースを形成しておくことが望ましい。
【００１３】
さらには、前記左右の後側支柱の間に、前記水平底板の後端縁から前記後側水平枠まで垂直に延びている少なくとも一枚の配線目隠し板を配置しておくことが望ましい。
【００１４】
このようにすれば、ディスプレイ台に載せたディスプレイから後方に引き出される配線を、配線目隠し板の後側に沿って下方に引き出し、左右の後側支柱の配線用切り欠き部を通して横方に引き出すことができる。また、配線における余分な長さの部分は、水平底板の裏面側の配線用スペースに収納しておくことができる。よって、前方からは配線が目に触れないように隠すことができ、美観を損ねることがない。
【００１５】
次に、ディスプレイ台における前記左右の後側支柱のそれぞれに、着脱可能な状態で左右の垂直脚板を取り付け、これら垂直脚板に水平棚板を掛け渡しておくことができる。このようにすれば水平棚板の上に、飾り用の置物などを置くことができ、便利である。
【発明の効果】
【００１６】
本発明のディスプレイ台では、その天板の下側に水平ポケットが形成されており、ディスプレイを載せる際には、後方からディスプレイの支持板を水平ポケットに挿入して、当該支持板を水平ポケットの底面を規定している水平板に載せるようにすればよい。これにより、ディスプレイの支持板が上下から挟まれた状態になり、ディスプレイの転倒が確実に防止される。簡単な構造により、転倒しないようにディスプレイをディスプレイ台に載せることができる。
【発明を実施するための最良の形態】
【００１７】
以下に、図面を参照して、本発明を適用したディスプレイ台の実施の形態を説明する。
【００１８】
図１は本発明を適用した薄型テレビを載せるためのテレビ台を示す斜視図である。図２はテレビ台の薄型テレビを載せた状態を示す部分断面図である。
【００１９】
まず、本実施の形態に係るテレビ台に載せる薄型テレビ１は、横長の薄型ディスプレイ本体２と、この薄型ディスプレイ本体２の下端部中央部からほぼ垂直に下方に延びている支持脚３と、この支持脚３の下端に取り付けた水平な支持板４とを備えている自立型のものである。支持板４における支持脚３の後側の部位の中心には、上下方向に貫通するねじ穴５が形成されており、固定ねじ６および蝶ナット７によって、当該支持板４を他の部材に固定して、薄型テレビ１の転倒を防止できるようになっている。
【００２０】
この薄型テレビ１を載せるテレビ台１０は水平底板１１を有しており、この水平底板１１は左右に長い略六角形の板であり、その後側の縁辺１１ａを除き、その裏面側には縁端に沿って一定幅および高さの枠板１２が取り付けられている。水平底板１１の左右の縁端には、矩形断面の左側支柱１３および右側支柱１４が垂直に固定されている。また、水平底板１１の後側の縁辺１１ａの両側にも、矩形断面の左右の後側支柱１５、１６が垂直に固定されており、これら左右の後側支柱１５、１６の上端部の間には幅方向に向けて、矩形断面の後側水平枠１７に架け渡されている。
【００２１】
左側支柱１３および右側支柱１４の上端には天板１８が水平に架け渡されている。天板１８は、水平底板１１の略半分の大きさの台形輪郭の板である。この天板１８の裏面には、左右に一定の間隔を開けて、矩形断面の左側水平枠２１および右側水平枠２２が前後方向に平行に取り付けられている。これら左側水平枠２１および右側水平枠２２の後端は、それぞれ、左右の後側支柱１５、１６の上端の前面部分に直角に固定されている。
【００２２】
ここで、天板１８の裏面側には、左側水平枠２１および右側水平枠２２の間に、当該天板１８に平行に水平板２３が取り付けられている。水平板２３は、天板１８の後端縁１８ａよりも後方に延びており、当該水平板２３の後端縁は後側水平枠１７に固定されている。また、天板１８の前縁および左右の側縁に沿って当該天板１８の裏面には矩形断面の前枠２４および左右の側枠２５、２６が取り付けられている。これにより、天板１８、水平板２３、左側水平枠２１、右側水平枠２２および前枠２４によって、一定厚さ、および幅の水平ポケット３０が区画形成されている。この水平ポケット３０は、天板１８の後端縁１８ａから後方に開口している。
【００２３】
水平ポケット３０は、薄型テレビ１の支持板４における支持脚３よりも前側の部分を挿入可能な厚さ、および幅とされている。また、水平板２３は、図２に示すように、支持板４を載せることができる大きさとされている。
【００２４】
なお、水平板２３には、薄型テレビ１の支持板４に形成したねじ穴５に対応する部位に、垂直貫通穴３１が形成されている。
【００２５】
この構成のテレビ台１０においては、図１、２において矢印Ａで示すように、薄型テレビ１の支持板４を、水平ポケット３０の後側の開口から、その中に挿入して、水平板２３の上に載せる。次に、図２に示すように、ねじ穴５を垂直貫通穴３１に合わせて、固定ねじ６をこれらに通して、蝶ナット７を締め付ける。この結果、薄型テレビ１はテレビ台１０に固定され、転倒することがない。勿論、固定ねじ６を用いない場合においても、薄型テレビ１の支持板４は、テレビ台１０の水平ポケット３０に挿入されているので、上下に移動すると、天板１８あるいは水平板２３に当たり、それ以上傾くことができない。よって、薄型テレビ１が前後に傾斜して転倒してしまうことがない。
【００２６】
ここで、テレビ台１０の転倒も確実に防止するためには、図３に示すように、左右の後側支柱１５、１６の上端面１５ａ、１６ａと、住宅の壁面４０との間を、Ｌ型金具４１によって連結固定しておけばよい。
【００２７】
（配線構造）
次に、テレビ台１０においては、前方および側方から見た場合に配線を見えないように引き回すことができるようになっている。まず、図３に示すように、左右の後側支柱１５、１６における下端部の後側の側面部分には配線用切り欠き４２がそれぞれ形成されており、横方から配線を通すことができるようになっている。
【００２８】
また、図４は、テレビ台１０を底側から見た場合の部分斜視図である。この図から分かるように、水平底板１１の裏面には、前後に水平に延びる左右の支持枠５１、５２が取り付けられており、これらの間が配線収納スペース５３となっている。また、左右の後側支柱１５、１６の内側には、水平底板１１から上方の後側水平枠１７まで延びる配線目隠し板５４、５５が取り付けられている。
【００２９】
図２、３に示すように、後側水平枠１７の後側の側面１７ａは、左右の後側支柱１５、１６の後側の側面よりも前方に引込んだ位置にあり、また、後側水平枠１７の上端面１７ｂは左側水平枠２１および右側水平枠２２の上端面よりも下側に位置している。
【００３０】
したがって、左右の後側支柱１５、１６の間に引き込まれた配線５６は、左右の配線目隠し板５４、５５の裏面側に沿って上方に引き回し、後側水平枠１７の後側および上側に沿って前方に引き出して薄型テレビ１に引き込むことができる。このような配線経路に沿って配線を行うと、前方あるいは横方からは配線が隠れて見えないので、美観を損なうことがない。
【００３１】
また、配線が長く余分な部分がある場合には、水平底板１１の裏面側の配線収納スペース５３に余分な配線部分を収納しておけばよい。よって、余分な長さの配線部分が横方にはみ出して美観が損なわれることもない。
【００３２】
なお、図４において想像線で示すように、水平底板１１の裏面などにキャスタ６１が取り付けられている場合には、水平底板１１の前縁および左右の縁に沿って取り付けた枠板１２が床面などの水平面から浮き上がる。この場合には、水平底板１１の裏面の配線収納スペース５３に収納されている配線部分が隙間から見えてしまう可能性がある。そこで、図４において想像線で示すように、水平底板１１の裏面に支持板６２を取り付けて、後方にのみ開口した配線収納ボックスを形成し、この中に余分な長さの配線部分を収納すればよい。
【図面の簡単な説明】
【００３３】
【図１】本発明を適用したテレビ台および、当該テレビ台に装着する薄型テレビを示す斜視図である。
【図２】図１のテレビ台に薄型テレビを装着した状態を示す部分断面図である。
【図３】図１のテレビ台に薄型テレビを装着した状態の側面図である。
【図４】図１のテレビ台の裏面を示す部分斜視図である。
【符号の説明】
【００３４】
１    薄型テレビ
２    薄型ディスプレイ本体
３    支持脚
４    支持板
５    ねじ穴
６    固定ねじ
７    蝶ナット
１０  テレビ台
１１  水平底板
１１ａ  縁辺
１２  枠板
１３  左側支柱
１４  右側支柱
１５、１６  後側支柱
１５ａ、１６ａ  上端面
１７  後側水平枠
１７ａ  側面
１７ｂ  上端面
１８  天板
１８ａ  後端縁
２１  左側水平枠
２２  右側水平枠
２３  水平板
２４  前枠
２５、２６  側枠
３０  水平ポケット
３１  垂直貫通穴
４０  壁面
４１  Ｌ型金具
４２  配線用切り欠き
５１、５２  支持枠
５３  配線収納スペース
５４、５５  配線目隠し板
５６  配線
６１  キャスタ
６２  支持板
Ａ    矢印
【図１】
2009089199.tif 000003
【図２】
2009089199.tif 000004
【図３】
2009089199.tif 000005
【図４】
2009089199.tif 000006